(57)【要約】【課題】ハードディスク等に保存されたテレビ番組を再生する際に、テレビ番組に含まれるＣＭ部分に最新のＣＭを挿入することを課題とする。【解決手段】ＣＭを含むテレビ番組を録画可能な録画部と、再生部と、再生される番組に含まれているＣＭと異なるＣＭを取得するＣＭ取得部と、再生の際に番組に含まれるＣＭを、ＣＭ取得部が取得したＣＭに差し替えて再生するように再生部を制御する制御部と、を有する録画再生装置を提供する。【選択図】    図２
2009152810.tif 000002
【特許請求の範囲】
【請求項１】
ＣＭを含むテレビ番組を録画可能な録画部と、
再生部と、
再生される番組に含まれているＣＭと異なるＣＭをＣＭ配信サーバから取得するＣＭ取得部と、
再生の際に番組に含まれるＣＭを、ＣＭ取得部が取得したＣＭに差し替えて再生するように再生部を制御する制御部と、
を有する録画再生装置。
【請求項２】
再生部は、可搬型メディアを再生するメディア再生手段を有し、
制御部は、メディア再生手段にて再生が行われている場合には、メディアに含まれているＣＭまたはＣＭとして検知可能なパートをＣＭ取得部が取得したＣＭに差し替えて再生するように再生部を制御するメディア制御手段を有する請求項１に記載の録画再生装置。
【請求項３】
視聴者の嗜好情報を取得する嗜好情報取得部をさらに有し、
ＣＭ取得部は、前記嗜好情報に応じてＣＭを取得する嗜好依存取得手段をさらに有する請求項１または２に記載の録画再生装置。
【請求項４】
制御部がＣＭを差し替えるタイミングを定める情報であるスケジュールを保持するスケジュール保持部をさらに有する請求項１から３に記載の録画再生装置。
【請求項５】
制御部は、差し替えを実行すべきか差し替えを実行しないで録画されたＣＭをそのまま再生すべきかを判断する差替判断手段を有する請求項１から４のいずれか一に記載の録画再生装置。
【請求項６】
ＣＭは可能な場合には属性と関連付けて各部にて処理されており、
制御部は、
番組とともに録画されたＣＭを、そのＣＭの属性と同一又は下位概念の属性を有する他のＣＭに差し替えて再生するように前記制御をする属性依存差替手段を有する請求項１から５のいずれか一に記載の録画再生装置。
【請求項７】
番組とともに録画されていたＣＭにＣＭ取得部が取得したＣＭを上書きする上書部をさらに有する請求項１から６のいずれか一に記載の録画再生装置。
【請求項８】
再生ステップと、
再生される番組に含まれているＣＭと異なるＣＭを取得するＣＭ取得ステップと、
再生の際に番組に含まれるＣＭを、ＣＭ取得部が取得したＣＭに差し替えて再生するように制御する制御ステップと、
を有する録画再生装置の動作方法。
【請求項９】
請求項１から７に記載の録画再生装置にて差し替えを行うためのＣＭを保持するＣＭ保持部と、
録画再生装置からの録画再生装置にて差し替えを行うためのＣＭのリクエストの指示に従って、ＣＭ保持部からＣＭを検索するＣＭ検索部と、
ＣＭ保持部にて保持されているＣＭの一部又は全部を録画再生装置へ配信するＣＭ配信部と、
を有するＣＭ配信サーバ。
【請求項１０】
ＣＭを含むテレビ番組を録画可能な録画部と、
再生部と、
再生される番組に含まれているＣＭと異なるＣＭをＣＭ配信サーバから取得するＣＭ取得部と、
再生の際に番組に含まれるＣＭを、ＣＭ取得部が取得したＣＭに差し替えて再生するように再生部を制御する制御部と、
を有する録画再生装置と、
録画再生装置にて差し替えを行うためのＣＭを保持するＣＭ保持部と、
録画再生装置からの録画再生装置にて差し替えを行うためのＣＭのリクエストの指示に従って、ＣＭ保持部からＣＭを検索するＣＭ検索部と、
ＣＭ保持部にて保持されているＣＭの一部又は全部を録画再生装置へ配信するＣＭ配信部と、
を有するＣＭ配信サーバと、
からなるＣＭ配信システム。
【発明の詳細な説明】
【技術分野】
【０００１】
本発明は、テレビ放送信号を受信して、受信したテレビ放送信号を録画・再生可能な録画再生装置に関する。
【背景技術】
【０００２】
テレビ放送をハードディスクに録画し、再生やＤＶＤへの記録が出来るハードディスク内蔵型レコーダーが利用されている。これらはハードディスクの大容量化により、大量のテレビ番組を消去することなく保存することが出来る。そのため、数ヶ月前から数年前に録画したテレビ番組を見返す機会が生まれている。
【０００３】
テレビ本編とともにＣＭも録画されている場合、現在では広告がなされていない古いＣＭを再生することになるため、ユーザは早送り等の機能を使ってＣＭをスキップしてしまう。
【０００４】
特許文献１では、ユーザが電子番組表から録画予約する際、または録画した番組を再生する際に、番組のタイトルや出演者の情報をサーバ側に送信し、嗜好情報を蓄積し、嗜好に合致した広告を表示する方法について開示されている。
【０００５】
また、特許文献２では、映像信号や音声信号を基に、ＣＭを検知、削除等する方法が開示されている。
【特許文献１】特開２００７−１０４３１３号公報
【特許文献２】特開２００７−８２１５６号公報
【発明の開示】
【発明が解決しようとする課題】
【０００６】
特許文献１では、録画予約をする際や、録画した番組からタイトル等の情報を抽出し、それらに合致した広告を番組表上や録画した番組の再生時に表示する方法について開示されているが、録画されている番組のデータ自体はそのままの状態で再生されるので、ＣＭは依然として古いものが再生されてしまう。
【０００７】
特許文献２では、録画したテレビ番組のＣＭをカットしたり、スキップしたりすることは出来るが、それにより、ＣＭを出稿している広告主の広告効果がなくなってしまうという問題があった。
【０００８】
本発明の課題は、ハードディスク等に保存されたテレビ番組を再生する際に、テレビ番組に含まれるＣＭ部分に最新のＣＭを挿入することである。
【課題を解決するための手段】
【０００９】
そこで、本発明においては以下の録画再生装置及びその動作方法を提案する。
【００１０】
具体的には、第一の発明は、ＣＭを含むテレビ番組を録画可能な録画部と、再生部と、再生される番組に含まれているＣＭと異なるＣＭをＣＭ配信サーバから取得するＣＭ取得部と、再生の際に番組に含まれるＣＭを、ＣＭ取得部が取得したＣＭに差し替えて再生するように再生部を制御する制御部と、を有する録画再生装置である。
【００１１】
第二の発明は、再生部は、可搬型メディアを再生するメディア再生手段を有し、制御部は、メディア再生手段にて再生が行われている場合には、メディアに含まれているＣＭまたはＣＭとして検知可能なパートをＣＭ取得部が取得したＣＭに差し替えて再生するように再生部を制御するメディア制御手段を有する第一の発明に記載の録画再生装置である。
【００１２】
第三の発明は、視聴者の嗜好情報を取得する嗜好情報取得部をさらに有し、ＣＭ取得部は、前記嗜好情報に応じてＣＭを取得する嗜好依存取得手段をさらに有する第一の発明または第二の発明に記載の録画再生装置である。
【００１３】
第四の発明は、制御部がＣＭを差し替えるタイミングを定める情報であるスケジュールを保持するスケジュール保持部をさらに有する第一の発明から第三の発明に記載の録画再生装置である。
【００１４】
第五の発明は、制御部は、差し替えを実行すべきか差し替えを実行しないで録画されたＣＭをそのまま再生すべきかを判断する差替判断手段を有する第一の発明から第四の発明のいずれか一に記載の録画再生装置である。
【００１５】
第六の発明は、ＣＭは可能な場合には属性と関連付けて各部にて処理されており、制御部は、番組とともに録画されたＣＭを、そのＣＭの属性と同一又は下位概念の属性を有する他のＣＭに差し替えて再生するように前記制御をする属性依存差替手段を有する第一の発明から第五の発明のいずれか一に記載の録画再生装置である。
【００１６】
第七の発明は、番組とともに録画されていたＣＭにＣＭ取得部が取得したＣＭを上書きする上書部をさらに有する第一の発明から第六の発明のいずれか一に記載の録画再生装置である。
【００１７】
第八の発明は、再生ステップと、再生される番組に含まれているＣＭと異なるＣＭを取得するＣＭ取得ステップと、再生の際に番組に含まれるＣＭを、ＣＭ取得部が取得したＣＭに差し替えて再生するように制御する制御ステップと、を有する録画再生装置の動作方法である。
【００１８】
第九の発明は、請求項１から７に記載の録画再生装置にて差し替えを行うためのＣＭを保持するＣＭ保持部と、録画再生装置からの録画再生装置にて差し替えを行うためのＣＭのリクエストの指示に従って、ＣＭ保持部からＣＭを検索するＣＭ検索部と、ＣＭ保持部にて保持されているＣＭの一部又は全部を録画再生装置へ配信するＣＭ配信部と、を有するＣＭ配信サーバである。
【００１９】
第十の発明は、ＣＭを含むテレビ番組を録画可能な録画部と、再生部と、再生される番組に含まれているＣＭと異なるＣＭをＣＭ配信サーバから取得するＣＭ取得部と、再生の際に番組に含まれるＣＭを、ＣＭ取得部が取得したＣＭに差し替えて再生するように再生部を制御する制御部と、を有する録画再生装置と、録画再生装置にて差し替えを行うためのＣＭを保持するＣＭ保持部と、録画再生装置からの録画再生装置にて差し替えを行うためのＣＭのリクエストの指示に従って、ＣＭ保持部からＣＭを検索するＣＭ検索部と、ＣＭ保持部にて保持されているＣＭの一部又は全部を録画再生装置へ配信するＣＭ配信部と、を有するＣＭ配信サーバと、からなるＣＭ配信システムである。
【発明の効果】
【００２０】
ハードディスクに過去に録画したテレビ番組であっても、ＣＭ部分にユーザの嗜好に合致した最新のＣＭが挿入されるため、今までスキップされる可能性の高かったＣＭ部分を有効に活用することができる。また、同じテレビ番組であっても、再生する度に異なる広告が表示されるため、利用者がＣＭ部分をスキップすることを減らすことが期待できる。
【発明を実施するための最良の形態】
【００２１】
以下に本発明を実施するための最良の形態を説明する。なお、本発明はこれら実施形態に何ら限定されるものではなく、その要旨を逸脱しない範囲において、種々なる態様で実施しうる。実施形態１にて、請求項１、８、１０に係る発明を説明する。実施形態２にて、請求項２に係る発明を説明する。実施形態３にて、請求項３に係る発明を説明する。実施形態４にて、請求項４に係る発明を説明する。実施形態５にて、請求項５に係る発明を説明する。実施形態６にて、請求項６に係る発明を説明する。実施形態７にて、請求項７に係る発明を説明する。実施形態８にて、請求項９に係る発明を説明する。
＜＜実施形態１＞＞
【００２２】
＜実施形態１：概要＞本実施形態は録画再生装置にて再生される番組に含まれているＣＭを差替ＣＭに差替え可能であることを特徴とする録画再生装置について説明する。図１は本実施形態のイメージ図である。本実施形態の録画再生装置は、番組（０１０１）の途中に挿入されているＣＭ（０１０２）を差替ＣＭ（０１０３）に差替え可能とする録画再生装置である。
【００２３】
＜実施形態１：構成＞本実施形態に係る録画再生装置の機能ブロック図を図２に例示する。図２に示す録画再生装置（０２００）は、「録画部」（０２０１）と、「再生部」（０２０２）と、「ＣＭ取得部」（０２０３）と、「制御部」（０２０４）と、を有する。
【００２４】
「録画部」（０２０１）は、ＣＭを含むテレビ番組を録画可能とする機能を有する。また、録画した番組を録画再生装置のハードディスク等の記憶装置に保持しておく機能を有していてもよい。
【００２５】
「再生部」（０２０２）は、録画部にて録画された番組、リアルタイムで放送されている番組、インターネット等を通じてダウンロードした番組等を再生する機能を有する。再生部にて再生される番組は、録画再生装置に接続されているディスプレイ装置等に表示される。また、録画再生装置はディスプレイ装置に組み込まれていてもよい。
【００２６】
「ＣＭ取得部」（０２０３）は、再生される番組に含まれているＣＭと異なるＣＭをＣＭ配信サーバから取得する機能を有する。本明細書においては便宜上、再生される番組に含まれているＣＭと異なるＣＭを「差替ＣＭ」という。例えば、ＣＭ配信サーバからインターネットを通じて差替ＣＭを取得することができる。また、差替ＣＭとは広告用動画ということもでき、例えばＡＶＩファイル形式で保存されている。
【００２７】
録画部にて録画された番組を再生する際には、録画されたときに放送されていた古いＣＭを最新のＣＭに差し替えることが可能である。また、海外番組をリアルタイムで放送しているような場合においてＣＭについても海外で放送しているものを放送する場合には、そのＣＭが日本人にとって関係ないものであることも多い。このような場合には、別のＣＭに差し替えることが可能である。
【００２８】
「制御部」（０２０４）は、再生の際に番組に含まれるＣＭを、ＣＭ取得部が取得したＣＭに差し替えて再生するように再生部を制御する機能を有する。まず、番組中に含まれるＣＭ部分を検知する。ＣＭ部分を検知する方法としては、アナログ放送については音声信号の方式の差異を検知する方法や、デジタル放送においては映像フレーム間の時間間隔に基づいてＣＭ区間を検知する方法が知られている。そして、ＣＭ部分を検知すると、例えば、そのＣＭ部分が再生される時刻に合わせてＣＭ取得部にて取得した差替ＣＭを再生し、差替ＣＭがディスプレイに表示されるように制御する。これにより、ユーザは再生している番組に含まれるＣＭではなく、ＣＭ取得部にて取得した差替ＣＭを視聴することができる。なお、ＣＭ部分の検知は録画時に行われ、その検知結果が録画データと関連付けて保持されていても良い。
【００２９】
＜実施形態１：システム構成図＞図３は本実施形態の録画再生装置を実際に実施する際のシステム構成図の一例を示す。「録画再生装置」（０３０１）は、「ディスプレイ」（０３０２）と接続されており、さらに「録画再生装置」は、インターネットを通じて「ＣＭ配信サーバ」（０３０３）に接続可能である。また、「ＣＭ配信サーバ」は、「ＣＭデータベース」（０３０４）とアクセス可能に接続されており、「ＣＭデータベース」には最新のＣＭが保持されている。
【００３０】
また、図４はＣＭデータベースに保持されているデータの一例である。ＣＭデータベースには、ＣＭを一意に識別するためのＣＭＩＤ、ＣＭを配信する期限を示す情報、ＣＭの長さ、ＣＭの動画データ等がデータテーブルとして保持されている。ＣＭを配信する期限を示す情報は、現在が２００７年９月３日であるとすれば、ｙｙｙｙ０００１というＣＭは配信しないが、ｙｙｙｙ０００２というＣＭは配信可能である、というように利用される。ＣＭデータベースには差替ＣＭの候補が多数保持されており、このＣＭの一部又は全部が録画再生装置に配信され、差替ＣＭとして再生される。
【００３１】
図５は、図３に示した各機器の機能ブロック図を示したものである。本実施形態に係る録画再生装置（０５００）は、通信を行うための「通信部」（０５０１）と、「録画部」（０５０２）と、「再生部」（０５０３）と、差替ＣＭを再生するための「ＣＭ再生手段」（０５０４）と、「ＣＭ取得部」（０５０５）と、「制御部」（０５０６）と、「ＣＭ検知手段」（０５０７）と、差替ＣＭをリクエストするための「ＣＭリクエスト手段」（０５０８）と、を有する。また、ＣＭ配信サーバは（０５０９）は、通信を行うための「通信部」（０５１０）と、差替ＣＭのリクエストを受信する「ＣＭリクエスト受信部」（０５１１）と、録画再生装置からの録画再生装置にて差し替えを行うためのＣＭのリクエストの指示に従って、ＣＭ保持部からＣＭを検索する「ＣＭ検索部」（０５１２）と、ＣＭ保持部にて保持されているＣＭの一部又は全部を録画再生装置へ配信する「ＣＭ配信部」（０５１３）と、を有する。さらに、ＣＭ配信サーバとアクセス可能に接続されているＣＭデータベースは、「ＣＭ送信部」（０５１４）と、録画再生装置にて差し替えを行うためのＣＭを保持する「ＣＭ保持部」（０５１５）と、を有する。「ＣＭ保持部」は、「制御部」にて差し替えるＣＭを保持する機能を有する。なお、「ＣＭ保持部」は、ＣＭ配信サーバ内にあってもよいし、図５に例示したようにＣＭ配信サーバがアクセス可能なＣＭデータベースにあってもよい。
【００３２】
録画再生装置からの差替ＣＭのリクエストは、録画再生装置に保持されている所定のルールに従って作成され、ＣＭ配信サーバに送信される。なお、リクエストには配信先の機器ＩＤや要求するＣＭの長さ等の情報が含まれる。ＣＭ配信サーバは、録画再生装置からのリクエストを受信してＣＭデータベースを検索し、録画再生装置へＣＭを配信する。
【００３３】
＜実施形態１：ハードウェア構成＞本実施形態の構成要件である各部の全部又は一部は、ハードウェア、ソフトウェア、ハードウェアとソフトウェアの両方のいずれかによって構成される。例えば、これらを実現する一例として、コンピュータを利用する場合には、ＣＰＵ、バス、メモリ、インタフェース、周辺装置などで構成されるハードウェアと、それらハードウェア上で実行可能なソフトウェアがある。ソフトウェアとしては、メモリ上に展開されたプログラムを順次実行することで、メモリ上のデータや、インタフェースを介して入力されるデータの加工、保存、出力などにより各部の機能が実現される（以下、明細書全体を通じて同様である）。
【００３４】
図６は本実施形態の録画再生装置における機能的な各構成要件をハードウェアとして実現した際の構成の一例を表す概略図である。この図を利用して、録画再生装置におけるそれぞれのハードウェア構成部の働きについて説明する。録画再生装置は、「ＣＰＵ」（０６０１）と、「ＲＡＭ（メインメモリ）」（０６０２）と、「ＨＤＤ」（０６０３）と、「通信Ｉ／Ｆ」（０６０４）と、「ＵＳＥＲ  Ｉ／Ｆ」（０６０５）と、「ＤＩＳＰＬＡＹ  Ｉ／Ｆ」（０６０７）と、「ＤＶＤ  Ｉ／Ｆ」（０６０９）と、「ＤＶＤドライブ」（０６１０）と、「ＴＵＮＥＲ  Ｉ／Ｆ」（０６１１）と、「ＴＵＮＥＲ等」（０６１２）等から構成されており、それらが「システムバス」（０６１３）等のデータ通信経路によって相互に接続され、情報の送受信や処理を行う。ここで、「ＴＵＮＥＲ等」とは、放送を受信するための「アンテナ」や、受信した放送データをデコードする「デコード部」等も含むものである。また、「ＵＳＥＲ  Ｉ／Ｆ」は「リモコン」（０６０６）等を通じてユーザからの入力信号を受け付ける。さらに、「ＤＩＳＰＬＡＹ  Ｉ／Ｆ」は「ＤＩＳＰＬＹ」（０６０８）と接続されており、「ＤＩＳＰＬＡＹ」に番組を表示することができる。ここで、「ＤＩＳＰＬＡＹ」と「ＤＶＤドライブ」と「ＴＵＮＥＲ等」とは、ケーブル等で接続されており映像信号、音声信号等の電気信号のやり取りをすることが可能である。また、「ＨＤＤ」には録画した番組などを保持しておくことが可能である（以下、明細書全体を通じて同様である）。
【００３５】
なお、「ＤＩＳＰＬＡＹ  Ｉ／Ｆ」及び「ＤＩＳＰＬＡＹ」はＶＲＡＭを介して接続される構成であってもよい（以下、明細書全体を通じて同様である）。
【００３６】
また、「ＲＡＭ」は、各種処理を行うプログラムを「ＣＰＵ」に実行させるために読み出すと同時にそのプログラムのワーク領域を提供する。さらに「ＲＡＭ」上には、情報が保持される記憶データ領域が確保されている（以下、明細書全体を通じて同様である）。
【００３７】
実際に、本実施形態に係る録画再生装置は以下のような処理を実行していく。まず、ユーザが録画再生装置を起動させるとＨＤＤ（０６０３）等の記憶装置に保持されている録画プログラム、再生プログラム、ＣＭ取得プログラム、制御プログラム、といった各種プログラムがＲＡＭ（０６０２）のワーク領域に展開される。続いて、ユーザがリモコン等を利用することにより、録画再生装置に録画されている番組を再生するという命令信号が入力されると、制御プログラムを実行し、再生される番組に含まれているＣＭ部分を検知する。そして、次にＣＭ取得プログラムを実行し、ＣＭサーバ装置等からインターネットを通じて差替ＣＭを取得する。取得した差替ＣＭはＲＡＭの記憶データ領域に保持される。ここで、取得・保持される差替ＣＭは、再生される番組に含まれているＣＭと同じ時間であることが望ましい。そして、再生プログラムにより番組の再生を実行し、さらに、制御プログラムによりＣＭ部分が再生される時刻に合わせて差替ＣＭを再生し、差替ＣＭがディスプレイに表示されるように制御する。
【００３８】
＜実施形態１：処理の流れ＞図７は、本実施形態に係る録画再生装置の処理の流れを示す一例である。
【００３９】
最初に、ステップＳ０７０１において、番組を再生するとの信号を受け付けたかを判断する。ここで、受け付けていないとの判断であった場合には、再生するとの信号を受け付けるまで次のステップへの移行を待機する。また、受け付けたとの判断であった場合には、ステップＳ０７０２に進む。ステップＳ０７０２において、例えば、現在から５分後以内に再生する部分にＣＭ部分が含まれているかを検知する。このとき、ＣＭ部分の再生が開始される時刻、終了する時刻も検知する。ここでＣＭ部分が含まれていることを検知した場合には、ステップＳ０７０３において差替ＣＭを取得する。次に、ステップＳ０７０４において再生している番組のＣＭ部分の開始に合わせて差替ＣＭを再生する。このとき、差替ＣＭがディスプレイに表示されるように制御する。そして、差替ＣＭの再生が終了すると、ステップＳ０７０５において、番組がディスプレイに表示されるように制御する。
【００４０】
次に、ステップＳ０７０６において、再生終了であるか否かを判断し、再生終了でない場合には、ステップＳ０７０２に戻り、現在から５分後以内に再生する部分にＣＭ部分が含まれているかを検知する。ここでＣＭ部分が含まれていることを検知しない場合には、ステップＳ０７０５に進み、番組の再生を続ける。そして、ステップＳ０７０６において再生終了であるとの判断がされるまで、以上の処理を繰り返す。なお、再生終了は、番組が終了したことにより検知されてもよいし、録画していたデータを全て再生し終えたことにより検知されてもよい。また、ユーザが再生停止ボタンを押したことをＵＳＥＲ  Ｉ／Ｆを通じて受信したことにより検知してもよい。
【００４１】
また、リアルタイムで放送されている番組のＣＭを差し替えるときには、現在から５分後以内に再生する部分のＣＭの有無を検知することはできないので、再生するデータを記憶領域にバッファしている間にＣＭの有無を検知し、ＣＭ部分の開始に合わせて差替ＣＭを再生する。差替ＣＭをＣＭ配信サーバから取得するためにバッファ時間よりも長い時間を要する場合には、差替ＣＭは録画再生装置に保持されていることを要する。また、ＣＭ部分がいつ終了するか事前に知ることができないため、時間に制限が設けられていないような差替ＣＭを選択して再生することも考えられる。時間に制限が設けられていないＣＭとは、例えば、ウェブ広告のようなものや、ユーザの操作によって展開されるようなＣＭである。ＣＭ部分の終了を検知すると、差替ＣＭの再生は終了し番組を再生する。
【００４２】
なお、図７のフロー図は、計算機に実行させるプログラムの処理フロー図とみなすことも可能である。さらに、このようなプログラムをＣＤやＩＣメモリ等の媒体に記録することも可能である（以下、明細書全体を通じて同様である）。
【００４３】
＜実施形態１：効果＞本実施形態に係る録画再生装置によれば、録画されている古い番組に含まれているＣＭ部分に最新の広告を挿入することができるため、今までスキップされる可能性の高かったＣＭ部分を有効に活用することが出来る。また、同じテレビ番組であっても、再生する度に異なる広告が表示されるため、ユーザがＣＭ部分をスキップすることを減らすことが期待できる。
＜＜実施形態２＞＞
【００４４】
＜実施形態２：概要＞本実施形態は録画再生装置にて再生される映画等のメディアに含まれているＣＭを差替ＣＭに差替え可能であることを特徴とする録画再生装置について説明する。
【００４５】
＜実施形態２：構成＞本実施形態に係る録画再生装置の機能ブロック図を図８に例示する。図８に示す録画再生装置（０８００）は、「録画部」（０８０１）と、「再生部」（０８０２）と、「ＣＭ取得部」（０８０３）と、「制御部」（０８０４）と、を有する。さらに、「再生部」は「メディア再生手段」（０８０５）を有し、「制御部」は、「メディア制御手段」（０８０６）を有する。
【００４６】
「録画部」（０８０１）と、「再生部」（０８０２）と、「ＣＭ取得部」（０８０３）と、「制御部」（０８０４）と、については、実施形態１と同様であるのでここでの説明は省略する。
【００４７】
「メディア再生手段」（０８０５）は、可搬型メディアを再生する機能を有する。可搬型メディアとは、ＤＶＤ、磁気テープなどである。例えば、レンタルビデオ店で貸し出されている映画のＤＶＤなども含まれる。
【００４８】
「メディア制御手段」（０８０６）は、メディア再生手段にて再生が行われている場合には、メディアに含まれているＣＭまたはＣＭとして検知可能なパートをＣＭ取得部が取得したＣＭに差し替えて再生するように再生部を制御する機能を有する。ここで、ＣＭとして検知可能なパートとは、例えば、映画のＤＶＤの最初に放映される他の映画の予告編などである。映画のＤＶＤが販売された当初には近日公開予定であった他の映画も、ユーザが映画のＤＶＤの販売の後しばらくしてから視聴した場合には、既に公開されていることが多く、他の映画の予告編は古い情報となる。このような場合には、ユーザが映画のＤＶＤを視聴したときの最新映画の予告編をＣＭ取得部にて取得し、これを映画のＤＶＤの最初に放映される他の映画の予告編に差し替えて再生するように制御することができる。
【００４９】
＜実施形態２：ハードウェア構成＞図９は本実施形態の録画再生装置における機能的な各構成要件をハードウェアとして実現した際の構成の一例を表す概略図である。この図を利用して、録画再生装置におけるそれぞれのハードウェア構成部の働きについて説明する。
【００５０】
実際に、本実施形態に係る録画再生装置は以下のような処理を実行していく。まず、ユーザが録画再生装置を起動させるとＨＤＤ（０９０３）等の記憶装置に保持されている録画プログラム、メディア再生プログラム、ＣＭ取得プログラム、メディア制御プログラム、といった各種プログラムがＲＡＭ（０９０２）のワーク領域に展開される。続いて、ユーザがリモコン（０９０６）等を利用することにより、ＤＶＤ等に記録されているメディアを再生するという命令信号が入力されると、メディア制御プログラムを実行し、再生されるメディアに含まれているＣＭまたはＣＭとして検知可能なパート（以下、ＣＭ部分という）を検知する。そして、次にＣＭ取得プログラムを実行し、ＣＭサーバ装置等からインターネットを通じて差替ＣＭを取得する。取得した差替ＣＭはＲＡＭの記憶データ領域に保持される。ここで、取得・保持される差替ＣＭは、再生されるメディアに含まれているＣＭ部分と同じ時間であることが望ましい。そして、メディア再生プログラムによりメディアの再生を実行し、さらに、メディア制御プログラムによりＣＭ部分が再生される時刻または再生される順番に合わせて差替ＣＭを再生する。差替ＣＭの再生が終了するとＣＭ部分が終了したところからメディアの再生を再開する。
【００５１】
＜実施形態２：処理の流れ＞図１０は、本実施形態に係る録画再生装置の処理の流れを示す一例である。
【００５２】
最初に、ステップＳ１００１において、メディアを再生するとの信号を受け付けたかを判断する。ここで、受け付けていないとの判断であった場合には、再生するとの信号を受け付けるまで次のステップへの移行を待機する。また、受け付けたとの判断であった場合には、ステップＳ１００２に進む。ステップＳ１００２において、メディアに含まれる全てのＣＭ部分を検知する。このとき、ＣＭ部分の再生される時刻または再生される順番、再生時間なども検知し、保持する。次に、ステップＳ１００３において検知された全てのＣＭ部分に対応する差替ＣＭを取得する。次に、ステップＳ１００４において、例えば１分後がＣＭを再生するところであるかを判断する。ここでの判断がＣＭを再生するところであるとの判断であった場合には、ステップＳ１００５においてＣＭを再生する時刻または順番に差替ＣＭを再生する。そして、ステップＳ１００６においてＣＭの再生が終了したところからメディアを再生する。また、ステップＳ１００４における判断が、１分後がＣＭを再生するところでないとの判断であった場合には、差替ＣＭを再生せずにメディアを再生する。
【００５３】
次に、ステップＳ１００７において、再生終了であるか否かを判断し、再生終了でない場合には、ステップＳ１００４に戻り、同様の処理を繰り返す。そして、ステップＳ１００７において再生終了であるとの判断がされるとメディアの再生を終了する。
【００５４】
＜実施形態２：効果＞本実施形態に係る録画再生装置によれば、ＤＶＤなどに記憶されているメディアを再生する際に、メディアに含まれる古い予告編などを新しい予告編に代えて再生することが可能である。再生したときの最新の情報を得られるため、ユーザは最新の予告編を楽しむことができる。
＜＜実施形態３＞＞
【００５５】
＜実施形態３：概要＞本実施形態は録画再生装置にて再生される番組に含まれているＣＭを差替ＣＭに差替え可能であり、さらに、視聴者の嗜好情報に応じて差替ＣＭを取得することを特徴とする録画再生装置について説明する。
【００５６】
＜実施形態３：構成＞本実施形態に係る録画再生装置の機能ブロック図を図１１に例示する。図１１に示す録画再生装置（１１００）は、「録画部」（１１０１）と、「再生部」（１１０２）と、「ＣＭ取得部」（１１０３）と、「制御部」（１１０４）と、「嗜好情報取得部」（１１０５）と、を有する。さらに、「ＣＭ取得部」は、「嗜好依存取得手段」（１１０６）を有する。
【００５７】
「録画部」（１１０１）と、「再生部」（１１０２）と、「ＣＭ取得部」（１１０３）と、「制御部」（１１０４）と、については、実施形態１と同様であるのでここでの説明は省略する。
【００５８】
「嗜好情報取得部」（１１０５）は、視聴者の嗜好情報を取得する機能を有する。視聴者の嗜好情報は視聴者が予め入力することによって取得されてもよいし、視聴者がよく視聴する番組やメディアの内容から把握されてもよい。また、視聴者がテレビにてインターネット上のウェブコンテンツにアクセスしている場合には、そのアクセス履歴から視聴者の嗜好情報を把握してもよい。また、再生する番組のタイトル情報を視聴者の嗜好情報として利用してもよい。視聴者の嗜好情報は、録画再生装置内に保持されていてもよいし、インターネットでアクセス可能なサーバ等に保持されていてもよい。インターネットでアクセス可能なサーバに視聴者の嗜好情報が保持されている場合には、マーケット情報として利用することが可能である。
【００５９】
「嗜好依存取得手段」（１１０６）は、嗜好情報に応じてＣＭを取得する機能を有する。視聴者の嗜好情報に適応した差替ＣＭを取得し、これを再生するためＣＭの効果があがると考えられる。嗜好情報に応じてＣＭを取得する処理の流れについては、後に詳細に説明する。
【００６０】
＜実施形態３：システム構成図＞図１２にシステム構成図の一例を示す。「録画再生装置」（１２０１）は、「ディスプレイ」（１２０２）と接続されており、さらに「録画再生装置」は、インターネットを通じて「ＣＭ配信サーバ」（１２０３）や「ＷＷＷサーバ」（１２０５）に接続可能である。また、「ＣＭ配信サーバ」は、「ＣＭデータベース」（１２０４）とアクセス可能に接続されており、「ＣＭデータベース」には最新のＣＭが保持されている。さらに、「ＷＷＷサーバ」は、「ユーザデータベース」（１２０６）とアクセス可能に接続されており、「ユーザデータベース」にはユーザの嗜好情報等が保持されている。
【００６１】
図１３に、ＣＭデータベース及びユーザデータベースに保持されているデータの一例を示した。ＣＭデータベースには、ＣＭを一意に識別するためのＣＭＩＤ、ＣＭを配信する期限を示す情報、ＣＭの長さ、ＣＭの内容を表すキーワード、ＣＭの動画データ、等がデータテーブルとして保持されている。また、ユーザデータベースには、ユーザを一意に識別するためのユーザＩＤ、ＣＭを配信する機器をユーザと関連付けて保持するための機器ＩＤ、氏名、性別、嗜好情報等がデータテーブルとして保持されている。
【００６２】
例えば、鈴木一郎さんの嗜好情報が「車」である場合には、ＣＭ配信サーバにて「車」というキーワードを含むＣＭが検索され、鈴木一郎さんの機器ＩＤを指定してＣＭが配信される。そして、録画再生装置は配信されたＣＭを差替ＣＭとして取得する。なお、嗜好情報やキーワードは、複数であってもよいし、優先順位がついていてもよい。
【００６３】
また、嗜好情報は図１３に示したようなキーワードで保持されていてもよいし、予め定められたカテゴリー名で保持されていてもよい。この場合には、ＣＭデータベース上のＣＭの内容を表すキーワードの代わりにＣＭの内容を表すカテゴリー名を保持する。
【００６４】
図１４は、本実施形態のさらに具体的な実施例を示したものである。本実施形態に係る「録画再生装置」（１４００）は、通信を行うための「通信部」（１４０１）と、「録画部」（１４０２）と、「再生部」（１４０３）と、差替ＣＭを再生するための「ＣＭ再生手段」（１４０４）と、「ＣＭ取得部」（１４０５）と、「制御部」（１４０６）と、「ＣＭ検知手段」（１４０７）と、差替ＣＭをリクエストするための「ＣＭリクエスト手段」（１４０８）と、を有する。また、「ＣＭ配信サーバ」（１４０９）は、通信を行うための「通信部」（１４１０）と、差替ＣＭのリクエストを受信する「ＣＭリクエスト受信部」（１４１１）と、ＣＭを検索するための「ＣＭ検索部」（１４１２）と、ＣＭを配信するための「ＣＭ配信部」（１４１３）と、を有する。さらに、ＣＭ配信サーバとアクセス可能に接続されているＣＭデータベースは、「ＣＭ送信部」（１４１４）と、「ＣＭ保持部」（１４１５）と、を有する。また、「ＷＷＷサーバ」（１４１６）は、通信を行うための「通信部」（１４１７）と、ユーザＩＤ等によって視聴者の嗜好情報を抽出する「嗜好情報抽出部」（１４１８）と、を有する。さらに、ＣＭ配信サーバとアクセス可能に接続されているユーザデータベースは、「嗜好情報送信部」（１４１９）と、「嗜好情報保持部」（１４２０）と、を有する。
【００６５】
図１５及び図１６に嗜好情報に応じてＣＭを取得する際の、装置間の情報のやり取りを示すシーケンス図の一例を示した。図１５においては、まず、録画再生装置にて番組の再生が開始され、ＣＭを検知すると、録画再生装置がＣＭ配信サーバに対して、ＣＭを要求する。次に、ＣＭ配信サーバは録画再生装置に対してユーザＩＤを要求する。そして、録画再生装置はユーザＩＤを取得する。次に、録画再生装置はＣＭ配信サーバに対して、ユーザＩＤを送信する。次に、ＣＭ配信サーバはＷＷＷサーバに対してユーザＩＤを送信する。次に、ＷＷＷサーバは取得したユーザＩＤに対応する嗜好情報を取得する。次に、ＷＷＷサーバはＣＭ配信サーバに対して嗜好情報を送信する。そして、ＣＭ配信サーバは取得した嗜好情報に合致するＣＭを検索する。そして、該当するＣＭを取得し、録画再生装置にＣＭを配信する。次に、録画再生装置はＣＭ部分の開始に合わせて差替ＣＭを再生する。
【００６６】
また、図１６に他の一例を示す。まず、録画再生装置にて番組の再生が開始され、ＣＭを検知すると、ユーザＩＤを取得する。次に、録画再生装置がＷＷＷサーバに対して、ユーザＩＤを送信する。次に、ＷＷＷサーバは取得したユーザＩＤに対応する嗜好情報を取得する。次に、ＷＷＷサーバは録画再生装置に対して嗜好情報を送信する。次に、録画再生装置はＣＭ配信サーバに対して、嗜好情報に合致するＣＭを要求する。次に、ＣＭ配信サーバは嗜好情報に合致するＣＭを検索し、該当するＣＭを取得する。そして、録画再生装置にＣＭを配信する。次に、録画再生装置はＣＭ部分の開始に合わせて差替ＣＭを再生する。
【００６７】
＜実施形態３：ハードウェア構成＞図１７は本実施形態の録画再生装置における機能的な各構成要件をハードウェアとして実現した際の構成の一例を表す概略図である。この図を利用して、録画再生装置におけるそれぞれのハードウェア構成部の働きについて説明する。
【００６８】
実際に、本実施形態に係る録画再生装置は以下のような処理を実行していく。まず、ユーザが録画再生装置を起動させるとＨＤＤ（１７０３）等の記憶装置に保持されている録画プログラム、再生プログラム、嗜好情報依存取得プログラム、制御プログラム、嗜好情報取得プログラムといった各種プログラムがＲＡＭ（１７０２）のワーク領域に展開される。続いて、ユーザがリモコン（１７０６）等を利用することにより、録画再生装置に録画されている番組を再生するという命令信号が入力されると、制御プログラムを実行し、再生される番組に含まれているＣＭ部分を検知する。次に、嗜好情報取得プログラムを実行し、視聴者の嗜好情報を取得する。取得した嗜好情報はＲＡＭの記憶データ領域に記憶、保持される。そして、次に嗜好情報依存取得プログラムを実行し、ＣＭサーバ装置等からインターネットを通じて嗜好情報に応じた差替ＣＭを取得する。取得した差替ＣＭはＲＡＭの記憶データ領域に保持される。ここで、取得・保持される差替ＣＭは、再生される番組に含まれているＣＭと同じ時間であることが望ましい。そして、再生プログラムにより番組の再生を実行し、さらに、制御プログラムによりＣＭ部分が再生される時刻に合わせて差替ＣＭを再生し、差替ＣＭがディスプレイに表示されるように制御する。
【００６９】
＜実施形態３：処理の流れ＞図１８は、本実施形態に係る録画再生装置の処理の流れを示す一例である。
【００７０】
最初に、ステップＳ１８０１において、番組を再生するとの信号を受け付けたかを判断する。ここで、受け付けていないとの判断であった場合には、再生するとの信号を受け付けるまで次のステップへの移行を待機する。また、受け付けたとの判断であった場合には、ステップＳ１８０２に進む。ステップＳ１８０２において、例えば、現在から５分後以内に再生する部分にＣＭ部分が含まれているかを検知する。このとき、ＣＭ部分の再生が開始される時刻、終了する時刻も検知する。ここでＣＭ部分が含まれていることを検知した場合には、ステップＳ１８０３において視聴者の嗜好情報を取得する。そして、ステップＳ１８０４において視聴者の嗜好情報に応じた差替ＣＭを取得する。次に、ステップＳ１８０５において再生している番組のＣＭ部分の開始に合わせて差替ＣＭを再生する。このとき、差替ＣＭがディスプレイに表示されるように制御する。そして、差替ＣＭの再生が終了すると、ステップＳ１８０６において番組がディスプレイに表示されるように制御する。
【００７１】
次に、ステップＳ１８０７において、再生終了であるか否かを判断し、再生終了でない場合には、ステップＳ１８０２に戻り、現在から５分後以内に再生する部分にＣＭ部分が含まれているかを検知する。ここでＣＭ部分が含まれていることを検知しない場合には、ステップＳ１８０６に進み、番組の再生を続ける。そして、ステップＳ１８０７において再生終了であるとの判断がされるまで、以上の処理を繰り返す。
【００７２】
なお、視聴者の嗜好情報を、インターネットを通じて取得する場合には、最初にステップＳ１８０３において取得した嗜好情報を再度取得し直す必要はない。取得した視聴者の嗜好情報は一定期間録画再生装置に保持し、その嗜好情報に応じた差替ＣＭを取得する構成にすればよい。
【００７３】
＜実施形態３：効果＞本実施形態に係る録画再生装置によれば、録画されている古い番組に含まれているＣＭ部分にユーザの嗜好に合致した最新の広告を挿入することができるため、今までスキップされる可能性の高かったＣＭ部分を有効に活用することが出来る。また、同じテレビ番組であっても、再生する度に異なる広告が表示されるため、ユーザがＣＭ部分をスキップすることを減らすことが期待できる。
＜＜実施形態４＞＞
【００７４】
＜実施形態４：概要＞本実施形態は録画再生装置にて再生される番組に含まれているＣＭを差替ＣＭに差替え可能であり、さらに、スケジュールに基づいてＣＭを差し替えるタイミングを決定することを特徴とする録画再生装置について説明する。
【００７５】
＜実施形態４：構成＞本実施形態に係る録画再生装置の機能ブロック図を図１９に例示する。図１９に示す録画再生装置（１９００）は、「録画部」（１９０１）と、「再生部」（１９１１）と、「ＣＭ取得部」（１９０３）と、「制御部」（１９０４）と、「スケジュール保持部」（１９０５）と、を有する。
【００７６】
「録画部」（１９０１）と、「再生部」（１９０２）と、「ＣＭ取得部」（１９０３）と、「制御部」（１９０４）と、については、実施形態１と同様であるのでここでの説明は省略する。
【００７７】
「スケジュール保持部」（１９０５）は、ＣＭを差し替えるタイミングを定める情報であるスケジュールを保持する機能を有する。スケジュールとは、朝、昼、夕方、夜といった一日における時刻によって再生する差替ＣＭを変更することや、ユーザが一度視聴した差替ＣＭは再生しないようにする、ＣＭの配信する期間の終了が迫っているものを優先的に再生するなどといったことである。
【００７８】
図２０に、ユーザＩＤ：ａａａａ０００１のＣＭデータベース及びスケジュールに保持されているデータの一例を示した。ユーザＩＤ：ａａａａ０００１のＣＭデータベースには、ＣＭを一意に識別するためのＣＭＩＤ、ＣＭを配信する期限を示す情報、ＣＭの長さ、ＣＭ視聴フラグ、ＣＭの動画データ、等がデータテーブルとして保持されている。そして、スケジュールには、ユーザＩＤ：ａａａａ０００１がまだ視聴していないＣＭのＣＭＩＤ、ＣＭを配信する期限を示す情報、ＣＭの長さ、再生する優先順位、ＣＭの動画データ、等がデータテーブルとして保持されている。例えば、ＣＭの配信する期間の終了が迫っているものから順に優先順位をつけるなどのスケジュール管理が可能である。
【００７９】
＜実施形態４：ハードウェア構成＞図２１は本実施形態の録画再生装置における機能的な各構成要件をハードウェアとして実現した際の構成の一例を表す概略図である。この図を利用して、録画再生装置におけるそれぞれのハードウェア構成部の働きについて説明する。
【００８０】
実際に、本実施形態に係る録画再生装置は以下のような処理を実行していく。まず、ユーザが録画再生装置を起動させるとＨＤＤ（２１０３）等の記憶装置に保持されている録画プログラム、再生プログラム、ＣＭ取得プログラム、制御プログラム、スケジュール保持プログラムといった各種プログラムがＲＡＭ（２１０２）のワーク領域に展開される。続いて、ユーザがリモコン（２１０６）等を利用することにより、録画再生装置に録画されている番組を再生するという命令信号が入力されると、制御プログラムを実行し、再生される番組に含まれているＣＭ部分を検知する。そして、次にＣＭ取得プログラムを実行し、ＣＭサーバ装置等からインターネットを通じてユーザがまだ視聴していない差替ＣＭを全て取得する。取得した差替ＣＭはＲＡＭの記憶データ領域に保持される。次にスケジュール保持プログラムを実行し、取得した差替ＣＭの期限情報等から優先して再生すべき差替ＣＭを決定し、差替ＣＭ再生スケジュールを作成する。作成したスケジュールはＲＡＭの記憶データ領域に保持される。そして、再生プログラムにより番組の再生を実行し、さらに、制御プログラムによりＣＭ部分が再生される時刻に合わせて、スケジュールにより最も優先して再生すべき差替ＣＭを再生し、差替ＣＭがディスプレイに表示されるように制御する。そして、再生した差替ＣＭについてユーザが既にそのＣＭを視聴したことを、インターネットを通じてＣＭサーバ装置に送信し、ＣＭサーバ装置にてこれを記録する。
【００８１】
＜実施形態４：処理の流れ＞図２２は、本実施形態に係る録画再生装置の処理の流れを示す一例である。
【００８２】
最初に、ステップＳ２２０１において、番組を再生するとの信号を受け付けたかを判断する。ここで、受け付けていないとの判断であった場合には、再生するとの信号を受け付けるまで次のステップへの移行を待機する。また、受け付けたとの判断であった場合には、ステップＳ２２０２に進む。次に、ステップＳ２２０２において、ＣＭ配信サーバに保持されおり、視聴者がまだ視聴していないＣＭを全て取得する。そして、ステップＳ２２０３において、ＣＭの配信期限などから差替ＣＭ再生スケジュールを作成する。次に、ステップＳ２２０４において、例えば、現在から５分後以内に再生する部分にＣＭ部分が含まれているかを検知する。このとき、ＣＭ部分の再生が開始される時刻、終了する時刻も検知する。ここでＣＭ部分が含まれていることを検知した場合には、ステップＳ２２０５においてスケジュールに基づいて再生する差替ＣＭを取得する。次に、ステップＳ２２０６において再生している番組のＣＭ部分の開始に合わせて差替ＣＭを再生する。このとき、差替ＣＭがディスプレイに表示されるように制御する。次に、ステップＳ２２０７において視聴者がＣＭを視聴したことをＣＭ配信サーバに送信する。そして、差替ＣＭの再生が終了と同時に、ステップＳ２２０８において番組がディスプレイに表示されるように制御する。
【００８３】
次に、ステップＳ２２０９において、再生終了であるか否かを判断し、再生終了でない場合には、ステップＳ２２０４に戻り、現在から５分後以内に再生する部分にＣＭ部分が含まれているかを検知する。ここでＣＭ部分が含まれていることを検知しない場合には、ステップＳ２２０８に進み、番組の再生を続ける。そして、ステップＳ２２０９において再生終了であるとの判断がされるまで、以上の処理を繰り返す。
【００８４】
なお、ユーザが一度視聴した差替ＣＭは再生しないようにするという構成を、例えば、３度視聴した差替ＣＭは再生しないようにするという構成に変更してもよい。再生する回数を一度きりに限定してしまうと、その１度を見逃してしまうと二度と見ることができないといった問題があるからである。
【００８５】
＜実施形態４：効果＞本実施形態に係る録画再生装置によれば、視聴者が一度視聴したＣＭは配信しないようにすることや、朝、昼、夕方、夜といった一日における時刻によって再生する差替ＣＭを変更することが可能である。視聴者が視聴するＣＭのスケジュール管理をすることが可能である。
＜＜実施形態５＞＞
【００８６】
＜実施形態５：概要＞本実施形態は録画再生装置にて再生される番組に含まれているＣＭを差替ＣＭに差替え可能であり、さらに、ＣＭの差し替えをすべきかを判断することを特徴とする録画再生装置について説明する。
【００８７】
＜実施形態５：構成＞本実施形態に係る録画再生装置の機能ブロック図を図２３に例示する。図２３に示す録画再生装置（２３００）は、「録画部」（２３０１）と、「再生部」（２３０２）と、「ＣＭ取得部」（２３０３）と、「制御部」（２３０４）と、を有する。さらに、「制御部」は、「差替判断手段」（２３０５）を有する。
【００８８】
「録画部」（２３０１）と、「再生部」（２３０２）と、「ＣＭ取得部」（２３０３）と、「制御部」（２３０４）と、については、実施形態１と同様であるのでここでの説明は省略する。
【００８９】
「差替判断手段」（２３０５）は、差し替えを実行すべきか差し替えを実行しないで録画されたＣＭをそのまま再生すべきかを判断する機能を有する。差し替えを実行すべきか否かの判断は、録画日からの経過日数などの情報を用いて行う。また、再生するものが映画のＤＶＤである場合には、ＤＶＤに保存されている管理情報から公開日時または販売開始日時の情報を取得するか、ＤＶＤの再生時にディスクのＩＤをサーバ側に送信することにより、公開日時または販売開始日時の情報を検索しそれを録画再生装置に返信することによって取得することが可能である。この場合には公開日時または販売開始日時からの経過日数などの情報によって差し替えするか否かを判断する。
【００９０】
図２４に、録画データに保持されているデータの一例を示した。録画データには、録画した番組の番組ＩＤ、録画日、番組タイトルなどの情報が保持されている。
【００９１】
＜実施形態５：ハードウェア構成＞図２５は本実施形態の録画再生装置における機能的な各構成要件をハードウェアとして実現した際の構成の一例を表す概略図である。この図を利用して、録画再生装置におけるそれぞれのハードウェア構成部の働きについて説明する。
【００９２】
実際に、本実施形態に係る録画再生装置は以下のような処理を実行していく。まず、ユーザが録画再生装置を起動させるとＨＤＤ（２５０３）等の記憶装置に保持されている録画プログラム、再生プログラム、ＣＭ取得プログラム、制御プログラム、差替判断プログラムといった各種プログラムがＲＡＭ（２５０２）のワーク領域に展開される。続いて、ユーザがリモコン（２５０６）等を利用することにより、録画再生装置に録画されている番組を再生するという命令信号が入力されると、差替判断プログラムを実行し、再生する番組の録画日を取得して録画日が現在から一定期間以上前であるかを判断する。ここでの判断が一定期間以上前であるとの判断であった場合には、制御プログラムを実行し、再生される番組に含まれているＣＭ部分を検知する。そして、次にＣＭ取得プログラムを実行し、ＣＭサーバ装置等からインターネットを通じて差替ＣＭを取得する。取得した差替ＣＭはＲＡＭの記憶データ領域に保持される。ここで、取得・保持される差替ＣＭは、再生される番組に含まれているＣＭと同じ時間であることが望ましい。そして、再生プログラムにより番組の再生を実行し、さらに、制御プログラムによりＣＭ部分が再生される時刻に合わせて差替ＣＭを再生し、差替ＣＭがディスプレイに表示されるように制御する。
【００９３】
また、録画日が現在から一定期間以上前でないとの判断であった場合には、ＣＭの差し替え処理は行わず、通常通りの再生を行う。
【００９４】
＜実施形態５：処理の流れ＞図２６は、本実施形態に係る録画再生装置の処理の流れを示す一例である。
【００９５】
最初に、ステップＳ２６０１において、番組を再生するとの信号を受け付けたかを判断する。ここで、受け付けていないとの判断であった場合には、再生するとの信号を受け付けるまで次のステップへの移行を待機する。また、受け付けたとの判断であった場合には、ステップＳ２６０２に進む。そして、ステップＳ２６０２において、再生する番組を録画した録画日を取得する。次に、ステップＳ２６０３において、録画日は現在から１ヶ月以上前であるかを判断する。ここでの判断が１ヶ月以上前ではないとの判断であった場合は、ステップＳ２６０４において、ＣＭの差し替えは行わずに番組を再生する。そして、ステップＳ２６０５において再生終了であるとの判断がされるまで、番組を再生する。
【００９６】
ステップＳ２６０３における判断が、録画日は現在から１ヶ月以上前であるとの判断であった場合は、ステップＳ２６０６に移行する。ステップＳ２６０６において、例えば、現在から５分後以内に再生する部分にＣＭ部分が含まれているかを検知する。このとき、ＣＭ部分の再生が開始される時刻、終了する時刻も検知する。ここでＣＭ部分が含まれていることを検知した場合には、ステップＳ２６０７において差替ＣＭを取得する。次に、ステップＳ２６０８において、再生している番組のＣＭ部分の開始に合わせて差替ＣＭを再生する。このとき、差替ＣＭがディスプレイに表示されるように制御する。そして、差替ＣＭの再生が終了すると、ステップＳ２６０９において番組がディスプレイに表示されるように制御する。
【００９７】
次に、ステップＳ２６１０において、再生終了であるか否かを判断し、再生終了でない場合には、ステップＳ２６０６に戻り、現在から５分後以内に再生する部分にＣＭ部分が含まれているかを検知する。ここでＣＭ部分が含まれていることを検知しない場合には、ステップＳ２６０９に進み、番組の再生を続ける。そして、ステップＳ２６１０において再生終了であるとの判断がされるまで、以上の処理を繰り返す。
【００９８】
＜実施形態５：効果＞本実施形態に係る録画再生装置によれば、録画日や公開日が最近であるか否かによってＣＭを差し替えるかを判断することが可能である。これにより、無駄にＣＭの差し替える動作をすることがなくなる。
＜＜実施形態６＞＞
【００９９】
＜実施形態６：概要＞本実施形態は録画再生装置にて再生される番組に含まれているＣＭを差替ＣＭに差替え可能であり、さらに、ＣＭの差し替えを行う際に、差替え前のＣＭと同じ属性を持つＣＭを差替ＣＭとして選択することを特徴とする録画再生装置について説明する。
【０１００】
＜実施形態６：構成＞本実施形態に係る録画再生装置の機能ブロック図を図２７に例示する。図２７に示す録画再生装置（２７００）は、「録画部」（２７０１）と、「再生部」（２７０２）と、「ＣＭ取得部」（２７０３）と、「制御部」（２７０４）と、を有する。さらに、「制御部」は、「属性依存差替手段」（２７０５）を有する。
【０１０１】
「録画部」（２７０１）と、「再生部」（２７０２）と、「ＣＭ取得部」（２７０３）と、「制御部」（２７０４）と、については、実施形態１と同様であるのでここでの説明は省略する。
【０１０２】
「属性依存差替手段」（２７０５）は、番組とともに録画されたＣＭを、そのＣＭの属性と同一又は下位概念の属性を有する他のＣＭに差し替えて再生するように制御をする機能を有する。なお、ＣＭは可能な場合には属性と関連付けて各部にて処理されている。ＣＭに属性情報が付与されていない場合もあるからである。ＣＭの属性とは、車、菓子、食料品、住宅、銀行、保険、もしくは、ＣＭ提供会社名などである。
【０１０３】
図２８にＣＭデータベース及び録画ＣＭデータの一例を示した。ＣＭデータベースには、ＣＭを一意に識別するためのＣＭＩＤ、ＣＭを配信する期限を示す情報、ＣＭの長さ、ＣＭの属性、ＣＭの動画データ、等がデータテーブルとして保持されている。また、録画ＣＭデータには、録画ＣＭを一意に識別するための録画ＣＭＩＤ、録画ＣＭの属性がデータテーブルとして保持されている。
【０１０４】
例えば、番組とともに録画されたＣＭ（録画ＣＭＩＤ：ｃｃｃｃ０００１）に差し替えるＣＭを取得する場合には、録画ＣＭＩＤ：ｃｃｃｃ０００１のＣＭの属性情報である「菓子」を属性情報に含むＣＭをＣＭ配信サーバにて検索、取得し、録画再生装置に配信する。
【０１０５】
また、録画されている番組のＣＭのスポンサーが１社であった場合には、その会社の最新のＣＭを差替ＣＭとして取得するなどしてもよい。
【０１０６】
さらに、ＣＭの属性が同一の属性を有するＣＭだけでなく、その属性の下位概念の属性を有するＣＭを差替ＣＭとして取得してもよい。例えば、属性「菓子」の下位概念の属性とは、「チョコレート」、「ドーナツ」、「ビスケット」、「ゼリー」、「ホットケーキ」などである。また、属性「家電製品」の下位概念の属性とは、「冷蔵庫」、「洗濯機」、「掃除機」、「電子レンジ」、「テレビ」などである。つまり、番組とともに録画されたＣＭの属性が、菓子であった場合には、「菓子」の下位概念である「チョコレート」や「ドーナツ」といった属性を持つＣＭを差替ＣＭとして取得してもよい。
【０１０７】
＜実施形態６：ハードウェア構成＞図２９は本実施形態の録画再生装置における機能的な各構成要件をハードウェアとして実現した際の構成の一例を表す概略図である。この図を利用して、録画再生装置におけるそれぞれのハードウェア構成部の働きについて説明する。
【０１０８】
実際に、本実施形態に係る録画再生装置は以下のような処理を実行していく。まず、ユーザが録画再生装置を起動させるとＨＤＤ（２９０３）等の記憶装置に保持されている録画プログラム、再生プログラム、ＣＭ取得プログラム、制御プログラム、属性依存差替プログラムといった各種プログラムがＲＡＭ（２９０２）のワーク領域に展開される。続いて、ユーザがリモコン（２９０６）等を利用することにより、録画再生装置に録画されている番組を再生するという命令信号が入力されると、制御プログラムを実行し、再生される番組に含まれているＣＭ部分を検知する。次に、属性依存差替プログラムを実行し、差し替えを行うＣＭの属性を取得する。取得したＣＭ属性情報はＲＡＭの記憶データ領域に記憶、保持される。そして、次にＣＭ取得プログラムを実行し、ＣＭサーバ装置等からインターネットを通じてＣＭ属性情報に応じた差替ＣＭを取得する。取得した差替ＣＭはＲＡＭの記憶データ領域に保持される。ここで、取得・保持される差替ＣＭは、再生される番組に含まれているＣＭと同じ時間であることが望ましい。そして、再生プログラムにより番組の再生を実行し、さらに、制御プログラムによりＣＭ部分が再生される時刻に合わせて差替ＣＭを再生し、差替ＣＭがディスプレイに表示されるように制御する。
【０１０９】
＜実施形態６：処理の流れ＞図３０は、本実施形態に係る録画再生装置の処理の流れを示す一例である。
【０１１０】
最初に、ステップＳ３００１において、番組を再生するとの信号を受け付けたかを判断する。ここで、受け付けていないとの判断であった場合には、再生するとの信号を受け付けるまで次のステップへの移行を待機する。また、受け付けたとの判断であった場合には、ステップＳ３００２に進む。ステップＳ３００２において、例えば、現在から５分後以内に再生する部分にＣＭ部分が含まれているかを検知する。このとき、ＣＭ部分の再生が開始される時刻、終了する時刻も検知する。ここでＣＭ部分が含まれていることを検知した場合には、ステップＳ３００３においてＣＭ属性情報を取得する。そして、ステップＳ３００４においてＣＭ属性情報に応じた差替ＣＭを取得する。次に、ステップＳ３００５において再生している番組のＣＭ部分の開始に合わせて差替ＣＭを再生する。このとき、差替ＣＭがディスプレイに表示されるように制御する。そして、差替ＣＭの再生が終了すると、ステップＳ３００６において番組がディスプレイに表示されるように制御する。
【０１１１】
次に、ステップＳ３００７において、再生終了であるか否かを判断し、再生終了でない場合には、ステップＳ３００２に戻り、現在から５分後以内に再生する部分にＣＭ部分が含まれているかを検知する。ここでＣＭ部分が含まれていることを検知しない場合には、ステップＳ３００６に進み、番組の再生を続ける。そして、ステップＳ３００６において再生終了であるとの判断がされるまで、以上の処理を繰り返す。
【０１１２】
＜実施形態６：効果＞本実施形態に係る録画再生装置によれば、録画した番組に含まれるＣＭと同じ属性を持つＣＭが選択されるので、差替ＣＭをバランス良く配置することが可能である。また、同一のＣＭ提供会社のＣＭを差替ＣＭとすれば、その会社の古いＣＭの部分に最新のＣＭを差し替えることができるので、ＣＭ提供会社は効率良く最新ＣＭを視聴者に視聴させることが可能である。
＜＜実施形態７＞＞
【０１１３】
＜実施形態７：概要＞本実施形態は録画再生装置にて再生される番組に含まれているＣＭを差替ＣＭに差替え可能であり、さらに、差し替えたＣＭを録画した番組に上書きすることを特徴とする録画再生装置について説明する。
【０１１４】
＜実施形態７：構成＞本実施形態に係る録画再生装置の機能ブロック図を図３１に例示する。図３１に示す録画再生装置（３１００）は、「録画部」（３１０１）と、「再生部」（３１０２）と、「ＣＭ取得部」（３１０３）と、「制御部」（３１０４）と、「上書部」（３１０５）と、を有する。
【０１１５】
「録画部」（３１０１）と、「再生部」（３１０２）と、「ＣＭ取得部」（３１０３）と、「制御部」（３１０４）と、については、実施形態１と同様であるのでここでの説明は省略する。
【０１１６】
「上書部」（３１０５）は、番組とともに録画されていたＣＭにＣＭ取得部が取得したＣＭを上書きする機能を有する。
【０１１７】
＜実施形態７：ハードウェア構成＞図３２は本実施形態の録画再生装置における機能的な各構成要件をハードウェアとして実現した際の構成の一例を表す概略図である。この図を利用して、録画再生装置におけるそれぞれのハードウェア構成部の働きについて説明する。
【０１１８】
実際に、本実施形態に係る録画再生装置は以下のような処理を実行していく。まず、ユーザが録画再生装置を起動させるとＨＤＤ（３２０３）等の記憶装置に保持されている録画プログラム、再生プログラム、ＣＭ取得プログラム、制御プログラム、上書プログラムといった各種プログラムがＲＡＭ（３２０２）のワーク領域に展開される。続いて、ユーザがリモコン（３２０６）等を利用することにより、録画再生装置に録画されている番組を再生するという命令信号が入力されると、制御プログラムを実行し、再生される番組に含まれているＣＭ部分を全て検知する。検知結果はＲＡＭの記憶データ領域に記録する。そして、次にＣＭ取得プログラムを実行し、ＣＭサーバ装置等からインターネットを通じて差替ＣＭを取得する。取得した差替ＣＭはＲＡＭの記憶データ領域に保持される。そして、制御プログラムおよび上書プログラムを実行し、ＲＡＭの記憶データ領域上に記録されている検知結果に基づき、ＣＭ部分の差し替えおよび上書きを行う。そして、ＣＭ差し替え済みの番組をＲＡＭの記憶データ領域に記録する。最後に、再生プログラムを実行し、ＣＭ差し替え済みの番組の再生を実行する。
【０１１９】
＜実施形態７：処理の流れ＞図３３は、本実施形態に係る録画再生装置の処理の流れを示す一例である。
【０１２０】
最初に、ステップＳ３３０１において、番組を再生するとの信号を受け付けたかを判断する。ここで、受け付けていないとの判断であった場合には、再生するとの信号を受け付けるまで次のステップへの移行を待機する。また、受け付けたとの判断であった場合には、ステップＳ３３０２に進む。ステップＳ３３０２において、再生する番組に含まれる全てのＣＭを検知する。そして、ステップＳ３３０３において検知結果を記録する。次に、ステップＳ３３０４において、差替ＣＭを取得する。そして、ステップＳ３３０５において検知結果に基づいて差替えを実行する。次に、ステップＳ３３０６において、差替え済み番組を記録する。そして、ステップＳ３３０７において差替え済み番組を再生する。そして、ステップＳ３３０８において再生終了すると、再生も終了する。
【０１２１】
＜実施形態７：効果＞本実施形態に係る録画再生装置によれば、録画されている古い番組に含まれているＣＭ部分に最新の広告を挿入することができるため、今までスキップされる可能性の高かったＣＭ部分を有効に活用することが出来る。さらに、最初に全てのＣＭ部分を検知し、差し替えることが可能であるので、再生時にＣＭ部分を検知するという処理が不要である。
＜＜実施形態８＞＞
【０１２２】
＜実施形態８：概要＞本実施形態は実施形態１から実施形態７において説明した録画再生装置へＣＭを配信するＣＭ配信サーバについて説明する。
【０１２３】
＜実施形態８：構成＞本実施形態に係るＣＭ配信サーバの機能ブロック図を図３４に例示する。図３４に示すＣＭ配信サーバ（３４００）は、「ＣＭ保持部」（３４０１）と、「ＣＭ検索部」（３４０２）と、「ＣＭ配信部」（３４０３）と、を有する。
【０１２４】
「ＣＭ保持部」（３４０１）は、録画再生装置にて差し替えを行うためのＣＭを保持する機能を有する。保持されているＣＭは、ＣＭを一意に識別するためのＣＭＩＤ、ＣＭを配信する期限を示す情報、ＣＭの長さ、ＣＭの内容を表すキーワード、ＣＭの属性、ＣＭの動画データ、等が関連付けられたデータテーブルとして保持されている。このデータテーブルを検索することにより、視聴者に配信するに相応しいＣＭを選択することが可能である。
【０１２５】
「ＣＭ検索部」（３４０２）は、録画再生装置からの録画再生装置にて差し替えを行うためのＣＭのリクエストの指示に従って、ＣＭ保持部からＣＭを検索する機能を有する。なお、「ＣＭ検索部」は本実施形態において必須の構成要件ではない。
【０１２６】
「ＣＭ配信部」（３４０３）は、ＣＭ保持部にて保持されているＣＭの一部又は全部を録画再生装置へ配信する機能を有する。
【０１２７】
また、図５に既に示したように、ＣＭ配信サーバはＣＭを保持するデータベースであるＣＭデータベースとアクセス可能に接続されている構成であっても良く、ＣＭ配信サーバは「ＣＭ配信部」と「ＣＭ検索部」の他に、通信部、ＣＭリクエスト受信部、を備えていても良く、ＣＭデータベースは「ＣＭ保持部」の他に、ＣＭ送信部、を備えていても良い。
【０１２８】
＜実施形態８：ハードウェア構成＞図３５は本実施形態の録画再生装置における機能的な各構成要件をハードウェアとして実現した際の構成の一例を表す概略図である。この図を利用して、録画再生装置におけるそれぞれのハードウェア構成部の働きについて説明する。録画再生装置は、「ＣＰＵ」（３５０１）と、「ＲＡＭ（メインメモリ）」（３５０２）と、「ＨＤＤ」（３５０３）と、「通信Ｉ／Ｆ」（３５０４）と、「ＵＳＥＲ  Ｉ／Ｆ」（３５０５）等から構成されており、それらが「システムバス」（３５０６）等のデータ通信経路によって相互に接続され、情報の送受信や処理を行う。「ＨＤＤ」には録画再生装置にて差し替えるためのＣＭがＣＭデータベースとして保持されている。「ＨＤＤ」に保持されているＣＭは、例えば「通信Ｉ／Ｆ」を通じて取得されるものであり、常に最新のＣＭが蓄積されている。さらに、「ＵＳＥＲ  Ｉ／Ｆ」を介してＣＭ配信サーバに保持されている情報を管理することも可能である。
【０１２９】
実際に、本実施形態に係るＣＭ配信サーバは以下のような処理を実行していく。まず、ＣＭ配信サーバを起動させるとＨＤＤ（３５０３）等の記憶装置に保持されているＣＭ配信プログラム、ＣＭ検索プログラム、といった各種プログラムがＲＡＭ（３５０２）のワーク領域に展開される。続いて、録画再生装置より「通信Ｉ／Ｆ」（３５０４）を通じてＣＭ配信の要求を受け付けると、ＣＭ配信プログラムを実行し、ＨＤＤ等に保持されているＣＭの一部又は全部を選択し、録画再生装置へと配信する。このとき、ＣＭ検索プログラムを実行し、例えば、視聴者の嗜好情報に合致するＣＭを検索し、選択するという過程が含まれていても良い。
【０１３０】
＜実施形態８：処理の流れ＞図３６は、本実施形態に係るＣＭ配信サーバの処理の流れを示す一例である。
【０１３１】
最初に、ステップＳ３６０１において、録画再生装置からのＣＭの要求を受け付ける。次に、ステップＳ３６０２において、視聴者の嗜好情報等に基づいてＣＭ保持部に保持されているＣＭを検索する。次に、ステップＳ３６０３において配信するＣＭを選択する。次に、ステップＳ３６０４において録画再生装置へＣＭを配信する。なお、本実施形態においてステップＳ３６０２は必ずしも必須のステップではない。
【０１３２】
＜実施形態８：効果＞本実施形態に係るＣＭ配信サーバによれば、録画されている古い番組に含まれているＣＭ部分に挿入するため最新のＣＭを録画再生装置へ配信することができる。このため、今までスキップされる可能性の高かったＣＭ部分を有効に活用することが出来る。
【図面の簡単な説明】
【０１３３】
【図１】実施形態１のイメージ図
【図２】実施形態１に係る録画再生装置の機能ブロック図
【図３】実施形態１に係る録画再生装置のシステム構成図
【図４】ＣＭデータベースに保持されているデータの一例
【図５】実施形態１に係るシステム全体の機能ブロック図
【図６】実施形態１に係る録画再生装置のハードウェア構成図
【図７】実施形態１に係る録画再生装置の処理フロー図
【図８】実施形態２に係る録画再生装置の機能ブロック図
【図９】実施形態２に係る録画再生装置のハードウェア構成図
【図１０】実施形態２に係る録画再生装置の処理フロー図
【図１１】実施形態３に係る録画再生装置の機能ブロック図
【図１２】実施形態３に係る録画再生装置のシステム構成図
【図１３】ＣＭデータベース及びユーザデータベースに保持されているデータの一例
【図１４】実施形態３に係るシステム全体の機能ブロック図
【図１５】実施形態３に係る録画再生装置のシーケンス図
【図１６】実施形態３に係る録画再生装置のシーケンス図
【図１７】実施形態３に係る録画再生装置のハードウェア構成図
【図１８】実施形態３に係る録画再生装置の処理フロー図
【図１９】実施形態４に係る録画再生装置の機能ブロック図
【図２０】ＣＭデータベース及びスケジュールに保持されているデータの一例
【図２１】実施形態４に係る録画再生装置のハードウェア構成図
【図２２】実施形態４に係る録画再生装置の処理フロー図
【図２３】実施形態５に係る録画再生装置の機能ブロック図
【図２４】録画データに保持されているデータの一例
【図２５】実施形態５に係る録画再生装置のハードウェア構成図
【図２６】実施形態５に係る録画再生装置の処理フロー図
【図２７】実施形態６に係る録画再生装置の機能ブロック図
【図２８】ＣＭデータベース及び録画ＣＭデータに保持されているデータの一例
【図２９】実施形態６に係る録画再生装置のハードウェア構成図
【図３０】実施形態６に係る録画再生装置の処理フロー図
【図３１】実施形態７に係る録画再生装置の機能ブロック図
【図３２】実施形態７に係る録画再生装置のハードウェア構成図
【図３３】実施形態７に係る録画再生装置の処理フロー図
【図３４】実施形態８に係る録画再生装置の機能ブロック図
【図３５】実施形態８に係る録画再生装置のハードウェア構成図
【図３６】実施形態８に係る録画再生装置の処理フロー図
【符号の説明】
【０１３４】
０２００  録画再生装置
０２０１  録画部
０２０２  再生部
０２０３  ＣＭ取得部
０２０４  制御部
【図１】
2009152810.tif 000003
【図２】
2009152810.tif 000004
【図３】
2009152810.tif 000005
【図４】
2009152810.tif 000006
【図５】
2009152810.tif 000007
【図６】
2009152810.tif 000008
【図７】
2009152810.tif 000009
【図８】
2009152810.tif 000010
【図９】
2009152810.tif 000011
【図１０】
2009152810.tif 000012
【図１１】
2009152810.tif 000013
【図１２】
2009152810.tif 000014
【図１３】
2009152810.tif 000015
【図１４】
2009152810.tif 000016
【図１５】
2009152810.tif 000017
【図１６】
2009152810.tif 000018
【図１７】
2009152810.tif 000019
【図１８】
2009152810.tif 000020
【図１９】
2009152810.tif 000021
【図２０】
2009152810.tif 000022
【図２１】
2009152810.tif 000023
【図２２】
2009152810.tif 000024
【図２３】
2009152810.tif 000025
【図２４】
2009152810.tif 000026
【図２５】
2009152810.tif 000027
【図２６】
2009152810.tif 000028
【図２７】
2009152810.tif 000029
【図２８】
2009152810.tif 000030
【図２９】
2009152810.tif 000031
【図３０】
2009152810.tif 000032
【図３１】
2009152810.tif 000033
【図３２】
2009152810.tif 000034
【図３３】
2009152810.tif 000035
【図３４】
2009152810.tif 000036
【図３５】
2009152810.tif 000037
【図３６】
2009152810.tif 000038